(57)【要約】【課題】注入障害を簡易に解消することができ、さらには、井戸近傍の透水性を改善することも可能な汚染地盤の浄化方法及び汚染地盤の浄化装置を提供する。【解決手段】井戸２０を介して汚染地盤１内に過酸化水素水を注入し、その汚染地盤１内に生息する好気性微生物を活性化させて、汚染地盤１を原位置で浄化する汚染地盤の浄化方法であって、井戸２０は、その上部が密閉された状態にあり、この井戸２０内に設けられた配管３０を通じて汚染地盤１内に過酸化水素水を注入し、過酸化水素水の注入障害が生じた際に、井戸２０の上部の密閉部分（具体的には、開放弁２１）を開くこととする。【選択図】図１
2010115604.tif 000002
【特許請求の範囲】
【請求項１】
汚染地盤に設けられた井戸を介して当該汚染地盤内に過酸化水素水を注入し、その汚染地盤内に生息する好気性微生物を活性化させて、当該汚染地盤を原位置で浄化する汚染地盤の浄化方法であって、
前記井戸は、その上部が密閉された状態にあり、この井戸内に設けられた配管を通じて前記汚染地盤内に前記過酸化水素水を注入し、当該過酸化水素水の注入障害が生じた際に、前記上部の密閉部分を開くことを特徴とする汚染地盤の浄化方法。
【請求項２】
汚染地盤に設けられた井戸を介して当該汚染地盤内に過酸化水素水を注入し、その汚染地盤内に生息する好気性微生物を活性化させて、当該汚染地盤を原位置で浄化する汚染地盤の浄化装置であって、
前記井戸は、その上部が密閉された状態にあり、当該上部の密閉部分には開放弁が設けられ、この井戸内に設けられた配管を通じて前記汚染地盤内に前記過酸化水素水を注入し、当該過酸化水素水の注入障害が生じた際に、前記開放弁が開くように構成されていることを特徴とする汚染地盤の浄化装置。
【請求項３】
請求項２において、
前記開放弁は、前記井戸の上部に設けられた穴と、前記井戸の内部を仕切るように設けられた網と、前記井戸の内部のうち前記網の上方側に配置された第１のゴムボールと、前記井戸の内部のうち前記網の下方側に配置された第２のゴムボールと、第１のゴムボールと第２のゴムボールとを繋ぐ連結部と、を有し、
前記配管を通じて前記汚染地盤内に前記過酸化水素水を注入し、前記井戸内の水位が低下すると、これに伴って前記第２のゴムボールが下方に移動し、続いて、前記過酸化水素水の注入障害が生じると、前記穴を塞いでいた前記第１のゴムボールが下方に引き下げられて前記穴が開放されるように構成されていることを特徴とする汚染地盤の浄化装置。
【発明の詳細な説明】
【技術分野】
【０００１】
本発明は、汚染地盤の浄化方法及び汚染地盤の浄化装置に関し、特に、汚染地盤内に過酸化水素水を注入し、当該汚染地盤内に生息する好気性微生物を活性化させて、汚染地盤を原位置で浄化する汚染地盤の浄化方法及び汚染地盤の浄化装置に関する。
【背景技術】
【０００２】
有機汚染物質（例えば、ベンゼン、塩化エチレン類、油など）で汚染された汚染地盤については、当該汚染地盤内に生息する好気性微生物を活性化させて、原位置で浄化することが可能であり、この好気性微生物を活性化させるためには、当該汚染地盤内に酸素を十分に供給する必要がある。そこで、汚染地盤内に酸素を十分に供給する技術として、従来、汚染地盤に井戸を設け、この井戸を介して汚染地盤内に過酸化水素水を注入する技術が知られている（特許文献１参照）。
【特許文献１】特開平９−２０６７３２号公報
【発明の開示】
【発明が解決しようとする課題】
【０００３】
しかしながら、汚染地盤内に過酸化水素水を注入する際には、過酸化水素水の自己分解により酸素ガスが発生し、この気泡状の酸素ガスが土粒子の間隙を塞いでしまうため、汚染地盤内に過酸化水素水を注入しにくくなる（以下「注入障害」という。）。より具体的に説明すると、汚染地盤に設けられた井戸を介して当該汚染地盤内に過酸化水素水を注入する際には、その汚染地盤内に含まれる金属塩や鉱物類が触媒として作用し、過酸化水素水が自己酸化分解を起こすため、酸素ガスが発生する。そして、この酸素ガスが、井戸の近傍、とりわけ、井戸の外壁と汚染地盤との間に設けられるスクリーン層（このスクリーン層は珪砂などで作られることが多い。）などに留まると、酸素ガスの泡が過酸化水素水の流路を妨害し、過酸化水素水のスムースな注入が困難となる。その結果、井戸の洗浄を行う必要があるなど、特別なメンテナンスが必要となってしまう。
【０００４】
また、透水性がそれ程良くない汚染地盤内に、過酸化水素水とともに薬剤（具体的には汚染地盤内に生息する好気性微生物の栄養剤など）を注入する場合には、井戸近傍の透水性が悪化すると、汚染地盤に対して注入可能な薬剤量が減少し、薬剤の影響が及ぶ範囲が狭小化してしまうことがある。そのため、このような場合には、井戸近傍の透水性を改善しながら、過酸化水素水とともに薬剤をも注入することが望ましい。
【０００５】
本発明は、このような事情に鑑みてなされたものであり、注入障害を簡易に解消することができ、さらには、井戸近傍の透水性を改善することも可能な汚染地盤の浄化方法及び汚染地盤の浄化装置を提供することを目的とする。
【課題を解決するための手段】
【０００６】
上記課題を解決するために、本発明は、汚染地盤に設けられた井戸を介して当該汚染地盤内に過酸化水素水を注入し、その汚染地盤内に生息する好気性微生物を活性化させて、当該汚染地盤を原位置で浄化する汚染地盤の浄化方法であって、前記井戸は、その上部が密閉された状態にあり、この井戸内に設けられた配管を通じて前記汚染地盤内に前記過酸化水素水を注入し、当該過酸化水素水の注入障害が生じた際に、前記上部の密閉部分を開くことを特徴とする。
【０００７】
また、本発明は、汚染地盤に設けられた井戸を介して当該汚染地盤内に過酸化水素水を注入し、その汚染地盤内に生息する好気性微生物を活性化させて、当該汚染地盤を原位置で浄化する汚染地盤の浄化装置であって、前記井戸は、その上部が密閉された状態にあり、当該上部の密閉部分には開放弁が設けられ、この井戸内に設けられた配管を通じて前記汚染地盤内に前記過酸化水素水を注入し、当該過酸化水素水の注入障害が生じた際に、前記開放弁が開くように構成されていることを特徴とする。
【０００８】
また、本発明において、前記開放弁は、前記井戸の上部に設けられた穴と、前記井戸の内部を仕切るように設けられた網と、前記井戸の内部のうち前記網の上方側に配置された第１のゴムボールと、前記井戸の内部のうち前記網の下方側に配置された第２のゴムボールと、第１のゴムボールと第２のゴムボールとを繋ぐ連結部と、を有し、前記配管を通じて前記汚染地盤内に前記過酸化水素水を注入し、前記井戸内の水位が低下すると、これに伴って前記第２のゴムボールが下方に移動し、続いて、前記過酸化水素水の注入障害が生じると、前記穴を塞いでいた前記第１のゴムボールが下方に引き下げられて前記穴が開放されるように構成されていることを特徴とする。
【発明の効果】
【０００９】
本発明によれば、注入障害を簡易に解消することができ、さらには、井戸近傍の透水性を改善することもできる。
【発明を実施するための最良の形態】
【００１０】
図１は、本発明の実施形態に係る汚染地盤の浄化装置１０を作動させて、汚染地盤１を原位置で浄化するときの様子を示す模式図、図２は、図１（ｃ）の拡大図である。
【００１１】
汚染地盤の浄化装置１０は、汚染地盤１に設けられた井戸２０を介して当該汚染地盤１内に過酸化水素水を注入し、汚染地盤１内に生息する好気性微生物を活性化させて、当該汚染地盤１を原位置で浄化するための装置である。
【００１２】
井戸２０は、その上部が密閉された状態にあり（但し、上部には穴２０ａが設けられている。）、当該上部には開放弁２１が設けられ、この井戸２０を介して汚染地盤１内に過酸化水素水を注入し、当該過酸化水素水の注入障害が生じた際に、開放弁２１が開くように構成されている。また、井戸２０は、表土及び汚染地盤１を貫通して難透水層まで到達し、その下方の先端側には、砂溜２０ｂが設けられており、さらに、過酸化水素水が汚染地盤１に対して注入される注入部分には、スリット２０ｃが設けられている。また、この井戸２０には、過酸化水素水の供給するための配管３０が設けられ、この配管３０には、定圧ポンプ（Ｐ）及びリリーフ弁が設けられている。配管３０は、その下方が砂溜２０ｂまで到達し、その先端の噴出口には、エアの逆流を防止するためのバルブストーンが設けられている。
【００１３】
開放弁２１は、井戸２０の上部に設けられた穴２０ａと、井戸２０の内部を仕切るように設けられた網２２と、網２２の上方側の井戸内部に設けられた第１のゴムボール２３と、網２２の下方側の井戸内部に設けられた第２のゴムボール２４と、これら第１のゴムボール２３と第２のゴムボール２４とを繋ぐ連結部２５と、を有する。
【００１４】
まず、図１（ａ）に示すように、配管２０を介して定圧ポンプ（Ｐ）から井戸２０内へ過酸化水素水を供給することにより、井戸２０内の水位を上昇させて、井戸２０内を過酸化水素水で充満させ、第１のゴムボール２３が穴２０ａを塞いだ状態、すなわち、開放弁２１が閉じた状態にする。
【００１５】
次いで、図１（ｂ）に示すように、開放弁２１が閉じた状態のままで過酸化水素水を供給し続けると、井戸２０内の内圧が上昇し、過酸化水素水の自己分解により生じた酸素ガスが井戸２０の上部に溜まるとともに、この酸素ガスが配管２内の過酸化水素水を汚染地盤１側に押し出すようにして、井戸２０内の水位が下がり、これに伴って第２のゴムボール２４が下方に下がる。このとき、過酸化水素水は、井戸２０の注入部分に設けられたスリット２０ｃを介して汚染地盤１内に注入されることとなる一方で、酸素ガスの泡が井戸２０の外壁部に溜まっていく。そのため、次第に、汚染地盤１内への過酸化水素水の注入速度が飽和状態になり、前述した注入障害が生じる。
【００１６】
続いて、図１（ｃ）に示すように、井戸２０内の水位が設定値より下がると、第２のゴムボール２４がこの水位の低下とともに下方に下がり、さらに、第１のゴムボール２３が連結部２５を介して下方に引き下げられて、穴２０ａが開放される（図２参照）。そうすると、この穴２０ａを介して井戸２０内の内圧が抜け、今度は井戸２０内の水位が上昇する。この際、井戸２０の外壁面に定着していた泡が膨張して、土粒子を巻き込みながら井戸２０内に流れ込み、当該泡が除去される。また、井戸２０の下方には、砂溜２０ｂが設けられており、この砂溜２０ｂに巻き込んだ土粒子が溜まり、土を透くことによって井戸近傍の透水性が改善されることとなる。
【００１７】
そして、図１（ｄ）に示すように、井戸２０内の内圧が抜けた状態では、水位差による作用のみで、過酸化水素水が汚染地盤１内に取り込まれることとなるが、汚染地盤１内に取り込まれる過酸化水素水よりも定圧ポンプから送り込まれる過酸化水素水の方が多いため、井戸２０内の水位は上昇し、図１（ａ）に示した状態、すなわち、第１のゴムボール２３が穴２０ａを塞ぎ、開放弁２１が閉じた状態に戻る。
【００１８】
このようにして、図１（ａ）〜（ｄ）を繰り返すことにより、前述した注入障害を簡易に解消することができ、さらには、井戸近傍の透水性を改善することも可能となる。
【００１９】
なお、本実施形態の説明は、本発明の理解を容易にするためのものであり、本発明を限定するものではない。本発明は、その趣旨を逸脱することなく、変更、改良され得ると共に、本発明にはその等価物が含まれることは勿論である。例えば、本実施形態の説明では、開放弁として、弁の開閉が井戸内の水位に連動するものを使用することとしているが、タイマー制御された電磁弁を使用することとしてもよく、或いは、井戸内の水位センサーによって制御された弁を使用することとしてもよい。
【図面の簡単な説明】
【００２０】
【図１】本発明の実施形態に係る汚染地盤の浄化装置を作動させて、汚染地盤を原位置で浄化するときの様子を示す模式図である。
【図２】図１（ｃ）の拡大図である。
【符号の説明】
【００２１】
１  汚染土壌
１０  汚染土壌の浄化装置
２０  井戸
２０ａ  穴
２０ｂ  砂溜
２０ｃ  スリット
２１  開放弁
２２  網
２３  第１のゴムボール
２４  第２のゴムボール
２５  連結部
３０  配管
【図１】
2010115604.tif 000003
【図２】
2010115604.tif 000004